(57)【要約】【課題】  従来より、使い捨ておむつが、開発、使用されているが、その構成だけでは不十分で、大量の排便、排尿があった場合に吸収力が不足したり、着用者の肌に触れて不快感が有ったり、又廃棄時の環境上の問題が生じていた。従ってそれらの問題点を最小にした介護用具が望まれていた。【解決手段】  介護用パッドの中央部付近には、開口が設けられており、不透液性下面材の下には、キャップが設けられており、キャップの内面の中央部の収納室は、前記開口と連通していることを特徴とする介護用具を提供する。【選択図】図１
2012154016.tif 000002
【特許請求の範囲】
【請求項１】
使い捨ておむつ、又はおむつカバーの内側にセットし使用する介護用パッドであって、
介護用パッドの上面には、透液性上面材が設けてあり、着用者の肌に触れて使用され、下面には、不透液性下面材が設けられており、透液性上面材と、不透液性下面材との間には、吸液性凝固剤が内包されており、
介護用パッドの中央部付近には、開口が設けられており、
該開口の下には、該キャップが設けられており、該キャップは、不透液性下面材と接着、及び／又は縫い合せ、及び／又は溶着、及び／又は鋲接等の接合手段により水密性を保ち接合されており、又は、不透液性下面材に対し取外し可能に構成され、
キャップの内面の中央部の収納室は、前記開口と連通しており、
キャップの材質は、不透液性の軟質合成樹脂、及び／又は軟質ポリマー、及び／又は防水布、及び／又は防水不織布、及び／又は防水紙、及び／又はそれらの複合材料で構成されていることを特徴とする介護用具。
【請求項２】
使い捨ておむつの内側に前記介護用パッドを接着、及び／又は縫い合せ、及び／又は面ファスナーで取付、取外しが自由に行えるように構成し、
介護用パッドの上面には、透液性上面材が設けてあり、着用者の肌に触れて使用され、下面には、不透液性下面材が設けられており、透液性上面材と、不透液性下面材との間には、吸液性凝固剤が内包されており、
介護用パッドの中央部付近には、開口が設けられており、使い捨ておむつの中央部付近には、同様に別途開口が設けられており、
使い捨ておむつの透液性上面材の下面、又は使い捨ておむつの不透液性下面材の下面には、前記キャップが接着、及び／又は縫い合せ、及び／又は溶着、及び／又は鋲接等の接合手段により水密性を保ち接合されており、又は、取外し可能に構成され、
キャップの内面の中央部の収納室は、介護用パッドの開口、及び使い捨ておむつの別途開口と連通しており、
キャップの材質は、不透液性の軟質合成樹脂、及び／又は軟質ポリマー、及び／又は防水布、及び／又は防水不織布、及び／又は防水紙、及び／又はそれらの複合材料で構成されていることを特徴とする介護用具。
【請求項３】
透液性上面材の上面、又は下面に、流出防止リングを設けたことを特徴とする請求項１、又は請求項２記載の介護用具。
【請求項４】
前記開口の上部には、１〜複数枚の弁体、又は山形の伸縮性弾性体が設けられており、
便が排出されるとその排出力で、弁体、又は伸縮性弾性体が下方に押し開けられ、便が切れると、弁体、又は伸縮性弾性体の弾性により、元に戻り逆止弁としての効果を発揮することを特徴とする請求項１、又は請求項２、又は請求項３記載の介護用具。
【請求項５】
前記介護用パッド、及び／又は使い捨ておむつには、複数の密着用の引張手段が取付けられていることを特徴とする請求項１、又は請求項２、又は請求項３、又は請求項４記載の介護用具。
【発明の詳細な説明】
【技術分野】
【０００１】  本発明は、排便、排尿等の介護を必要とする人のための介護用具に関する。
【背景技術】
【０００２】  従来より、透液性上面材と不透液性下面材との間に、吸液性凝固剤を介在した使い捨ておむつが、開発、使用されているが、その構成だけでは不十分で、大量の排便、排尿があった場合に吸収力が不足したり、着用者の肌に触れて不快感が有ったり、又廃棄時の環境上の問題が生じていた。従ってそれらの問題点を最小にした介護用具が望まれていた。
【発明の概要】
【発明が解決しようとする課題】
【０００３】  上述した如く、従来の使い捨ておむつは、
▲１▼大人の大量の排便、排尿があった場合に吸収力が不足することがある。
▲２▼全体に軟質便等が広がり着用者の肌に触れて不快感がある。
▲３▼硬質便はトイレに流して処理できるが、軟質便は水のように広がり、面積の広い使い捨ておむつの股下部分に軟質便が広がってしまう。
▲４▼そのため、それを取り除くのは非常に手間取り、介護者も手が汚れたり、臭いで介護がしにくい欠点を有していた。
▲５▼環境上からも、使い捨ておむつは、燃えるゴミとして排出できるが、臭いがあると近隣の環境上の問題となる。
▲６▼又使い捨ておむつは、大きいので、焼却上も無駄な資源排出となり地球温暖化に反するものとなっていた。
【課題を解決するための手段】
【０００４】  使い捨ておむつ、又はおむつカバーの内側にセットし使用する介護用パッドであって、
介護用パッドの上面には、透液性上面材が設けてあり、着用者の肌に触れて使用され、下面には、不透液性下面材が設けられており、透液性上面材と、不透液性下面材との間には、吸液性凝固剤が内包されており、
介護用パッドの中央部付近には、開口が設けられており、
該開口の下には、該キャップが設けられており、該キャップは、不透液性下面材と接着、及び／又は縫い合せ、及び／又は溶着、及び／又は鋲接等の接合手段により水密性を保ち接合されており、又は、不透液性下面材に対し取外し可能に構成され、
キャップの内面の中央部の収納室は、前記開口と連通しており、
キャップの材質は、不透液性の軟質合成樹脂、及び／又は軟質ポリマー、及び／又は防水布、及び／又は防水不織布、及び／又は防水紙、及び／又はそれらの複合材料で構成されていることを特徴とする介護用具を提供する。【０００５】  使い捨ておむつの内側に前記介護用パッドを接着、及び／又は縫い合せ、及び／又は面ファスナーで取付、取外しが自由に行えるように構成し、
介護用パッドの上面には、透液性上面材が設けてあり、着用者の肌に触れて使用され、下面には、不透液性下面材が設けられており、透液性上面材と、不透液性下面材との間には、吸液性凝固剤が内包されており、
介護用パッドの中央部付近には、開口が設けられており、使い捨ておむつの中央部付近には、同様に別途開口が設けられており、
使い捨ておむつの透液性上面材の下面、又は使い捨ておむつの不透液性下面材の下面には、前記キャップが接着、及び／又は縫い合せ、及び／又は溶着、及び／又は鋲接等の接合手段により水密性を保ち接合されており、又は、取外し可能に構成され、
キャップの内面の中央部の収納室は、介護用パッドの開口、及び使い捨ておむつの別途開口と連通しており、
キャップの材質は、不透液性の軟質合成樹脂、及び／又は軟質ポリマー、及び／又は防水布、及び／又は防水不織布、及び／又は防水紙、及び／又はそれらの複合材料で構成されていることを特徴とする介護用具を提供する。【０００６】  透液性上面材の上面、又は下面に、流出防止リングを設けたことを特徴とする請求項１、又は請求項２記載の介護用具を提供する。【０００７】  前記開口の上部には、１〜複数枚の弁体、又は山形の伸縮性弾性体が設けられており、
便が排出されるとその排出力で、弁体、又は伸縮性弾性体が下方に押し開けられ、便が切れると、弁体、又は伸縮性弾性体の弾性により、元に戻り逆止弁としての効果を発揮することを特徴とする請求項１、又は請求項２、又は請求項３記載の介護用具を提供する。【０００８】前記介護用パッド、及び／又は使い捨ておむつには、複数の密着用の引張手段が取付けられていることを特徴とする請求項１、又は請求項２、又は請求項３、又は請求項４記載の介護用具を提供する。
【発明の効果】
【０００９】  本発明は前述の問題点を排除し、次の多くの効果を有するもので、
（１）大人の大量の排便、排尿があった場合に吸収力の不足を防止できる。【００１０】（２）全体に軟質便等が広がり着用者の肌に触れて不快感が有ったのを和らげることができる。【００１１】（３）硬質便はトイレに流して処理できるが、軟質便は水のように広がり、面積の広い使い捨ておむつの股下部分に軟質便が広がってしまい、それを取り除くのは非常に手間取り、介護者も手が汚れたり、臭いで介護がしにくい欠点を排除できる。【００１２】（４）環境上からも、使い捨ておむつは、燃えるゴミとして排出できるが、臭いがあると環境上の問題となり、又使い捨ておむつは、大きいので、焼却上も無駄な資源排出となり地球温暖化に反するものとなっていた。【００１３】（５）キャップ７は、不透液性下面材４と接着、又は縫い合せ、又は鋲接等の接合手段の方法で、水密性を保ち、接合され、又は、不透液性下面材４に対し取外し可能に構成しても良い。【００１４】（６）中央部の収納室８は、大便、尿を収納でき、排出量に対し十分な容積を有している。【００１５】（７）キャップ７を採用することで、形状保持性が良くなり、大人の量の多い大便においても十分容量的に収納可能となるのである。【００１６】（８）肛門Ａｏに対し開口６が、正確に合わせやすくするため、突起状か、又は凹状等のマーク７ａを設けるとさらに装着がやりやすい。【００１７】（９）大便は、開口６を通じて収納室８に収納され、小便及び水分は、介護用パッド２の吸液性凝固剤５により吸収され、大便と分離して吸収されるため、不快感は大幅に改善される。【００１８】（１０）大便及び小便は、介護用パッド２で、ほとんどが回収されるため、使い捨ておむつ１を汚すことは、ほとんどなく、介護用パッド２の取替だけで、使い捨ておむつ１は、何回も使えるため、大幅な資源削減とコスト削減が可能になるのである。【００１９】（１１）使い捨ておむつ１に対し介護用パッド２は、小形のため製作費が安価となり、介護費用の大幅な削減となる。【００２０】（１２）透液性上面材３の上面に、流出防止リング９が設けると、更に軟質便や、水分が外周に流出するのを防ぐことができる。【００２１】（１３）実施例４では、花びら状の弁体１０、又は山形の伸縮性弾性体１１が下方に押し開けられ、便が切れると、花びら状の弁体１０、又は山形の伸縮性弾性体１１の弾性により、元に戻り逆止弁としての効果を発揮するため、大便の分離がさらに良くなる特徴を有している。【００２２】（１４）実施例６は、小便や水分は、介護用パッド２で吸収し、取付、取外しが自由に行えるため、小便のみで、大便の出ない時は、介護用パッド２だけ取り換えることで、着用者は、快適に生活できる利点がある。【００２３】（１５）実施例６は、大便、小便の量が多い時にも、向いており、介護用パッド２と、使い捨ておむつ１１の吸液性凝固剤１４の両方で、収納が可能となるのである。
【図面の簡単な説明】
【００２４】
【図１】本発明実施例１の全体概略構成図である。
【図２】実施例１の介護用パッド２を展開した平面図である。
【図３】実施例１の介護用パッド２の縦断面図である。
【図４】実施例１の着用状態の断面図である。
【図５】実施例２、及び実施例３の平面図である。
【図６】実施例２の縦断面図である。
【図７】実施例３の縦断面図である。
【図８】実施例４の平面図である。
【図９】実施例４の縦断面図である。
【図１０】実施例４の縦断面図である。
【図１１】実施例４の山形の伸縮性弾性体１１を設けた平面図である。
【図１２】実施例４の山形の伸縮性弾性体１１を設けた縦断面図である。
【図１３】実施例５の引張手段を設けた平面図である。
【図１４】実施例５の引張手段を設けた全体概略構成図である。
【図１５】実施例１の着用時の拡大断面図である。
【図１６】実施例６の拡大断面図である
【図１７】実施例６の拡大断面図である。
【発明を実施するための形態】
【００２５】  本発明は、発明の効果に前述した如く、多くの問題点を排除し、コンパクトな構造で、安価に製造できる極めて実用的な介助用具を提供するものである。
【実施例１】
【００２６】  図面に従ってその内容を説明する。図１は、本発明の実施例１の全体概略構成図を示す。【００２７】  図１に示す如く、本発明の介護用具である介護用パッド２は、使い捨ておむつ１、又はおむつカバー１ａの内側にセットし使用することで従来の欠点を排除したものである。【００２８】  図２は実施例１の介護用パッド２を展開した平面図であり、図３は、介護用パッド２の縦断面図である。介護用パッド２は、使い捨ておむつ１に面ファスナー１４で取付られている。
図３に示す如く、介護用パッド２の上面には、透液性上面材３が設けてあり、着用者の肌に触れて使用される。下面には、不透液性下面材４が設けられており、透液性上面材３と、不透液性下面材４との間には、吸水紙、綿状パルプ、高分子吸収材等で構成された吸液性凝固剤５が内包されている。【００２９】  不透液性下面材４の下には、キャップ７が設けられており、不透液性下面材４と接着、又は縫い合せ、又は鋲接等の接合手段の方法で、水密性を保ち、接合されている。
又は、不透液性下面材４に対し取外し可能に構成しても良い。
キャップ７の内面には、吸液性凝固剤５が内包されており、中央部の収納室８は、大便、尿を収納でき、排出量に対し十分な容積を有している。【００３０】  キャップ７の材質は、不透液性の軟質合成樹脂、及び／又は軟質ポリマー、及び／又は防水布、及び／又は防水不織布、及び／又は防水紙、及び／又はそれらの複合材料で、肌にやさしい不透液性のものであれば、いずれでも良い。【００３１】  キャップ７を採用することで、形状保持性が良くなり、大人の量の多い大便においても十分容量的に収納可能となるのである。
又、軟質便においても、液状の便も収納でき、流れ出すことを、防止しやすいのである。【００３２】  図４は、着用状態の断面図である。又、図１５は、本発明の実施例１の拡大断面図を示す。
着用者の腰部Ａに使い捨ておむつ１が、取り付けられ、肛門Ａｏに対し開口６が、正確に合わされている。
これは、着用時に指で押してみると、体感で確認できるのである。
又、合わせやすくするため、突起状か、又は凹状等のマーク７ａを設けるとさらに装着がやりやすい。【００３３】  大便は、硬質便、又は軟質便を問わず開口６を通じて収納室８に収納される。
小便及び水分は、介護用パッド２の吸液性凝固剤５により吸収され、大便と分離して吸収されるため、不快感は大幅に改善される。【００３４】  従って、大便及び小便は、介護用パッド２で、ほとんどが回収されるため、使い捨ておむつ１を汚すことは、ほとんどなく、介護用パッド２の取替だけで、使い捨ておむつ１は、何回も使えるため、大幅な資源削減とコスト削減が可能になるのである。
又、使い捨ておむつ１に対し介護用パッド２は、小形のため製作費が安価となり、介護費用の大幅な削減となる。
【実施例２】
【００３５】  図５は、本発明の実施例２、及び実施例３の平面図を示す。
図６は、本発明の実施例２の縦断面図を示す。【００３６】  本実施例は、実施例１に対し、透液性上面材３の上面に、流出防止リング９が設けられたものである。
この実施例は、更に軟質便や、水分が外周に流出するのを防ぐことができる。
流出防止リング９の材料には、スポンジ、シリコン等の樹脂、又はポリマー樹脂、又は吸液性凝固材を含有した弾性体、又は合成樹脂製スプリング等が用いられる。
【実施例３】
【００３７】  図７は、本発明の実施例３の縦断面図を示す。
実施例３においては、流出防止リング９は、透液性上面材３の下面に、内包されて設けられており、流出防止リング９が外れ難いように構成されている。
流出防止リング９の材料は、実施例２と同様である。
【実施例４】
【００３８】  図８は、本発明の実施例４の平面図を示す。
図９、図１０は、本発明の実施例４の縦断面図を示す。【００３９】  本実施例は、実施例１〜３に対し、更に大便の分離性を高めたものである。
図８に示す如く、開口６は、４枚の花びら状の弁体１０が設けられている。
便が排出されるとその排出力で、花びら状の弁体１０が、折れ線１０ｂにて下方に押し開けられ、図９、図１０に示す如く１０ａの状態となり、便が切れると、花びら状の弁体１０の弾性により、元に戻り逆止弁としての効果を発揮するため、大便の分離がさらに良くなる特徴を有するものである。【００４０】  弁体１０の材質は、弾性を有する透液性紙や、柔らかい合成樹脂等の薄膜、又はメッシュ状の物を選んで用いることができる。
図１０においては、花びら状の弁体１０は、透液性上面材３の下面に、内包されて設けられており、図９、あるいは図１０の構成のどちらを選んでも良い。
花びら状の弁体１０の枚数は、１〜複数枚のいずれでも良い。【００４１】  図１１、図１２は、実施例４の別の形態の山形の伸縮性弾性体１１が設けられた平面図と、縦断面図である。
通常は、山形の伸縮性弾性体１１は、突出しているので、弾性力で肛門近くに構成されている。
便が排出されるとその排出力で伸縮性弾性体１１が下方に押し開けられ、１１ａの状態となり、便が切れると、伸縮性弾性体１１の弾性により、元に戻り逆止弁としての効果を発揮することができる。
伸縮性弾性体１１の材質はシリコン等の軟質合成樹脂、軟質ポリマー、樹脂含有布等の複合材料等が用いられる。
【実施例５】
【００４２】  図１３は、本発明の実施例５の平面図を示す。
図１４は、本発明の実施例５の全体概略構成図である。
前記介護用パッド、及び／又は使い捨ておむつには、複数の密着用の前身用引張手段１２及び後身用引張手段１３が取付けられている。
前身用引張手段１２は、前身への密着のためで、これを引っ張ることで、股間の両側に密着できるよう左右の間隔は、大きく構成される。
後身用引張手段１３は、後身への密着のためで、これを引っ張ることで、肛門の両側に密着できるよう左右の間隔は、狭く構成することが望ましい。
前身用引張手段１２及び後身用引張手段１３により前記介護用パッド、及び／又は使い捨ておむつは、更に漏れを防止できる極めて有効な手段である。
図１３、及び図１４は、介護用パッドでの形態を示しているが、同様に、使い捨ておむつに適用できるものである。前身用引張手段１２及び後身用引張手段１３は、面ファスナー１４により使い捨ておむつ２１の内面に固定できる。
【実施例６】
【００４３】  図１６、図１７は、本発明の実施例６の着用時の拡大断面図を示すものである。
使い捨ておむつ２１の内側に前記介護用パッド２を接着、及び／又は縫い合せ、及び／又は面ファスナーで取付、取外しが自由に行えるように構成し、
介護用パッド２の上面には、透液性上面材３が設けてあり、着用者の肌に触れて使用され、下面には、不透液性下面材４が設けられており、透液性上面材３と、不透液性下面材４との間には、吸液性凝固剤５が内包されている。【００４４】  介護用パッド２の中央部付近には、開口６が設けられており、使い捨ておむつ２１の中央部付近には、同様に別途開口２４が設けられており、
使い捨ておむつ２１の透液性上面材２２の下面、又は使い捨ておむつ２１の不透液性下面材２３の下面には、前記キャップ２５が接着、及び／又は縫い合せ、及び／又は溶着、及び／又は鋲接等の接合手段により水密性を保ち接合されており、又は、取外し可能に構成され、
キャップ２５の内面の中央部の収納室は、介護用パッド２の開口６、及び使い捨ておむつ２１の別途開口２４と連通しており、
キャップ２５の材質は、不透液性の軟質合成樹脂、及び／又は軟質ポリマー、及び／又は防水布、及び／又は防水不織布、及び／又は防水紙、及び／又はそれらの複合材料で隣成されている。【００４５】  この構成においては、小便や水分は、介護用パッド２で吸収する。
また、使い捨ておむつ２１の透液性上面材２２の下面、又は不透液性下面材２３の下面に、キャップ２５を設けた構成となっている。
図１６は使い捨ておむつ２１の透液性上面材２２の下面に設けた実施例の拡大断面図を示し、図１７は使い捨ておむつ２１の不透液性下面材２３の下面に設けた実施例の拡大断面図を示す。【００４６】  介護用パッド２は、接着や、面ファスナー１４で使い捨ておむつ２１に対して取り付けられ、取付、取外しが自由に行えるため、小便のみで、大便の出ない時は、介護用パッド２だけ取り換えることで、着用者は、快適に生活できる利点があるのである。【００４７】  又、大便小便の量が多い時にも、向いており、介護用パッド２と、使い捨ておむつ２１の吸液性凝固剤２６の両方で、収納が可能となるのである。
【産業上の利用可能性】
【００４８】  本発明により、吸収力が不足したり、不快感が有ったり、又廃棄時の環境上の問題を最小にし、小型で簡単な構成であるため、製作コストが安く、今後も発展する介護分野において、新商品としての販売効果により産業の発展に大きく寄与できる。
【符号の説明】
【００４９】Ａ      着用者
Ａｏ    肛門
１、２１使い捨ておむつ
１ａ、２１ａおむつカバー
２      介護用パッド
３、２２透液性上面材
４、２３不透液性下面材
５、２６吸液性凝固剤
６      開口
７、２５キャップ
７ａ    マーク
８      収納室
９      流出防止リング
１０    弁体
１０ａ  弁体の開いた状態
１０ｂ  折線
１１    伸縮性弾性体
１１ａ  伸縮性弾性体の開いた状態
１２    前身用引張手段
１３    後身用引張手段
１４    面ファスナー
２４    別途開口
【図１】
2012154016.tif 000003
【図２】
2012154016.tif 000004
【図３】
2012154016.tif 000005
【図４】
2012154016.tif 000006
【図５】
2012154016.tif 000007
【図６】
2012154016.tif 000008
【図７】
2012154016.tif 000009
【図８】
2012154016.tif 000010
【図９】
2012154016.tif 000011
【図１０】
2012154016.tif 000012
【図１１】
2012154016.tif 000013
【図１２】
2012154016.tif 000014
【図１３】
2012154016.tif 000015
【図１４】
2012154016.tif 000016
【図１５】
2012154016.tif 000017
【図１６】
2012154016.tif 000018
【図１７】
2012154016.tif 000019